(57)【要約】【課題】  本発明は、複数のパルスからなる少なくとも１つの系列の形でデータを送信するためのシステムに関連する。【解決手段】  本発明によるシステム内に収容される送信機は、少なくとも１つのパルス発生器ＰＬＳＧと、少なくとも１つのパルス系列Ｐｓｑｋを制御ワードＷＤｋによって定義される調整可能な符号化値と乗算するための少なくとも１つの信号乗算器ＳＧＭｋ（ただしｋ＝１〜Ｋ）とを備えるシンボル符号化手段ＥＮＣを含む。本発明によれば、送信される信号Ｔｓｇによって搬送される情報は基本的には、その信号Ｔｓｇ内に含まれる少なくとも１つのパルス系列によって搬送される電力によって表されることができ、その電力はパルスの振幅に関連付けられる。この情報はその後、受信機が受信されたパルス系列を時間に関して正確に位置付けることを必要とすることなく、受信機によって再生されることができる。【選択図】  図５
2005130504.tif 000002
【特許請求の範囲】
【請求項１】
少なくとも１つの送信機および１つの受信機を備える通信システムであって、
前記送信機はＮｓ個の時間窓にわたってＮｓ個のパルスからなる少なくとも１つのパルス系列によって形成される信号を送信するように構成され、前記各パルスは、その関連する時間窓内の場所がチップ番号によって定義される時間チップ内に収容され、
前記システムにおいて、前記送信機は、
前記少なくとも１つのパルス系列を生成するための少なくとも１つのパルス発生器と、
前記パルス発生器によって生成される前記少なくとも１つのパルス系列を、前記パルス系列によって搬送されることになる１つのシンボルを表す調整可能な符号化値と乗算するための少なくとも１つの信号乗算器と
を備えるシンボル符号化手段を含む、通信システム。
【請求項２】
前記少なくとも１つのパルス系列は所定の振幅を有する電圧信号を含み、
前記調整可能な符号化値は１未満であるか１に等しく、
前記信号乗算器は、前記符号化値を表す制御ワードによって調整可能である値によって前記所定の振幅を分圧するように構成される分圧器を備える
請求項１に記載の通信システム。
【請求項３】
前記シンボル符号化手段はさらに、１つのパルス系列の一連のパルスが乗算されることになる＋１または−１に等しい値をランダムに生成するためのランダムバイナリ発生器を備える請求項１または２に記載の通信システム。
【請求項４】
前記シンボル符号化手段はさらに、同じパルス系列の全てのパルスが、ある時間ジッタを受けるようにするための時間遅延手段を含む請求項１〜３のいずれか一項に記載の通信システム。
【請求項５】
前記送信機は、単一パルス発生器と、前記単一パルス発生器によって供給される単一基本パルス系列を、送信するために利用することができる全帯域幅がフィルタリング手段によって分割されてできた、個々の周波数小帯域内で送信されることになる少なくとも２つの特有の系列にディスパッチするためのエネルギー分割手段とを備える少なくとも１つの信号符号器を含み、
前記符号器はさらに、前記特有のパルス系列をそれぞれ、前記特有のパルス系列によって搬送されることになる１つのシンボルを表す調整可能な符号化値と乗算するための少なくとも２つの信号乗算器を含み、
また前記符号器は、全ての信号乗算器によって供給される全ての特有の系列を、送信されることになる１つの信号に合成するための信号合成手段も備える請求項１〜４のいずれか一項に記載の通信システム。
【請求項６】
同じ信号符号器に収容される全ての信号乗算器は互いに対して概ね同一であり、
少なくとも２つの異なる小帯域において情報の冗長性を生み出すために、少なくとも２つの信号乗算器が同じ制御ワードによって制御可能である請求項５に記載の通信システム。
【請求項７】
Ｎｓ個の時間窓にわたってＮｓ個のパルスからなる少なくとも１つの系列によって形成される信号を送信するように構成される装置であって、前記パルスはそれぞれ、その関連する時間窓内の場所がチップ番号によって定義される時間チップ内に収容され、前記装置は、
前記少なくとも１つのパルス系列を生成するための少なくとも１つのパルス発生器と、
前記パルス発生器によって生成される前記少なくとも１つのパルス系列を、前記パルス系列によって搬送されることになる１つのシンボルを表す調整可能な符号化値と乗算するための少なくとも１つの信号乗算器と
を備えるシンボル符号化手段を含む、装置。
【発明の詳細な説明】
【技術分野】
【０００１】
本発明は、少なくとも１つの送信機および１つの受信機を備える通信システムに関し、その送信機は、Ｎｓ個の時間窓にわたってＮｓ個のパルスからなる少なくとも１つのパルス系列によって形成される信号を送信するように構成され、各パルスは、その関連する時間窓内のその場所がチップ番号によって定義される時間チップ内に収容される。
【背景技術】
【０００２】
符号化されたパルス系列を用いるデータ送信方法が、現在、いわゆる超広帯域通信システム（以降、ＵＷＢシステムと呼ばれる）の妥当性を評価する目的で研究されている。そのようなシステムでは、各送信機を先に記載されたチップ番号によって形成されるシグネチャによって特定することができ、シグネチャそのものは非常に頑強であり、全ての考えられる受信機に確実かつ正確に伝達されることができる。
【０００３】
ＵＷＢシステムにおいて用いられるパルスは非常に短く、たとえば０．１ナノ秒未満の持続時間を有し、それにより、そのようなシステムは少なくとも１０ＧＨｚ程度の広い帯域幅を提供されるので、高い自由度を有し、それゆえそのようなシステムにとって数多くの実現可能な応用形態が見込まれる。
【０００４】
上記の信号は搬送信号を形成することができ、その搬送信号を変調することにより、その上に情報を符号化することができる。本発明者らは、関連するパルスが短いことに起因して、与えられるパルス系列との正確な同期を受信機端においてとることが難しいので、費用対効果を良くするために、選択される変調方式に関係する時間関連パラメータをできる限り少なくすべきであるということを認めている。
【発明の開示】
【発明が解決しようとする課題】
【０００５】
したがって、本発明は変調／復調方式を提供することを目的とし、その方式によれば、パルス系列によって搬送される情報が、受信されたパルス系列を時間に関して正確に位置付ける(map)ことを必要とすることなく、受信機端において再生されることができる。
【課題を解決するための手段】
【０００６】
実際には、冒頭の段落に説明されるような本発明による通信システムは、送信機が、
少なくとも１つのパルス系列を生成するための少なくとも１つのパルス発生器と、
パルス発生器によって生成される少なくとも１つのパルス系列を、そのパルス系列によって搬送される１つのシンボルを表す１つの調整可能な符号化値と乗算するための少なくとも１つの信号乗算器とを有するシンボル符号化手段を備えることを特徴とする。
【０００７】
そのようなシンボル符号化手段の結果として、本発明に従って超広帯域通信システムにおいて送信される信号によって搬送される情報が基本的には、これらの信号によって搬送される電力によって表されることができ、その電力はそのような信号内に含まれるパルスの振幅に関連付けられる。
【０００８】
信号乗算器はギルバートセルを基にして構成されることができ、ギルバートセルは、３つの差動(differential)トランジスタ対によって２つのアナログ信号を混合するために設計される、簡単で、よく知られているアナログ回路である。調整可能な符号化値は１より大きい値にすることができ、その場合、信号乗算器は増幅器として機能するであろう。調整可能な符号化値は１より小さくすることもでき、その場合には、信号乗算器は減衰器あるいは分圧器として機能するであろう。
【０００９】
少なくとも１つのパルス系列が所定の振幅を有する電圧信号であり、調整可能な符号化値が１未満であるか１に等しい、本発明の１つの有利な実施形態によれば、信号乗算器は、符号化値を表す制御ワードによって調整可能である値によって所定の振幅を分圧するように構成される分圧器を含む。
【００１０】
後に説明されるように、そのような分圧器は、直列に配列される抵抗によって形成される分圧ブリッジのような受動部品を用いることにより非常に安価に実施されることができる。
【００１１】
本発明の第１の変形形態によれば、シンボル符号化手段はさらに、１つのパルス系列の一連のパルスが乗算されることになる＋１または−１に等しい値をランダムに生成するためのランダムバイナリ発生器を含む。
【００１２】
本発明のこの第１の変形形態によれば、そのパルスによって搬送される情報がそのパルスの二乗に関連付けられるので、その情報には影響を及ぼさない、正および負のパルスのランダムな分布が得られるようになり、その通信システムに含まれない装置と干渉するような高い振幅のピークがスペクトル領域内に現れるのを防ぐことができる。そのような周波数干渉は、規則として制限されるべきであり、欧州委員会指針(European Commission Directive)８３／３３６ＣＥＥによって、ならびに米国連邦通信委員会(USA's Federal Communications Commission)の規定によって規制対象になっている。
【００１３】
本発明の第２の変形形態によれば、シンボル符号化手段はさらに、同じパルス系列の全てのパルスが、ある時間ジッタ(time jitter)を受けるようにするための時間遅延手段を含む。
【００１４】
そのような時間ジッタは、変調された信号が送信されることになる通信チャネルによって引き起こされることになる遅延スプレッドに対して小さくしておくことが好ましいであろう。この時間ジッタは、そのパルス系列によって搬送される情報に影響を与えることはなく、主として本発明による変調方式に対してさらに自由度を与える。
【００１５】
同じ系列のパルスが、全て概ね同じ幅を有し、同じエネルギー量を搬送するという条件であるなら、異なる形状を有することもできるが、同じ系列に属する全てのパルスに対して同じ形状を選択することにより、本発明による変調方式を簡単に実施できるようになる。そのパルスは、たとえば、ガウス関数の二次の導関数として定義される形状を有することができる。当然、当業者に知られている他のパルス形状をこれと同じ目的で用いることができる。
【００１６】
本発明の１つの特定の実施形態によれば、送信機は、単一パルス発生器と、その単一パルス発生器によって供給される単一基本パルス系列を、送信するために利用することができる全帯域幅がフィルタリング手段によって分割されてできた、個々の周波数小帯域(sub-band)内で送信されることになる少なくとも２つの特有の系列にディスパッチ(dispatch)するためのエネルギー分割手段とを備える少なくとも１つの信号符号器を含み、その符号器はさらに、特有のパルス系列をそれぞれ、その特有のパルス系列によって搬送されることになる１つのシンボルを表す調整可能な符号化値と乗算するための少なくとも２つの信号乗算器を含み、また符号器は、全ての信号乗算器によって供給される全ての特有の系列を、送信されることになる１つの信号に合成するための信号合成手段も備える。
【００１７】
本発明のこの特定の実施形態によれば、同じ通信チャネルを通していくつかのシンボルを同時に送信できるようになり、それゆえ、通信システムのスループットを著しく高めることができるようになる。またこの特定の実施形態は、単一パルス発生器を含むが、各信号符号器が複数の符号化されたパルス系列を生成することができる点で注目に値する。
【００１８】
本発明の１つの変形形態によれば、同じ信号符号器に含まれる全ての信号乗算器は、概ね互いに同一であることが好ましく、少なくとも２つの異なる小帯域において情報の冗長性を生み出すために、少なくとも２つの信号乗算器が同じ制御ワードによって制御されることができる。
【００１９】
本発明の上記の実施形態のこの変形形態は、送信のために用いられることになる通信チャネルの特徴として信号対雑音比が低いことがわかっている場合に、送信の冗長性を容易に導入できるようにする。信号乗算器が同一である結果として、符号化中に用いられることになる同一の制御ワードの数を適当に選択すれば、該当する通信チャネルに関連する信号対雑音比の測定に基づいて計算される、送信電力レベルにいくぶん類似の、適当な冗長度を適用するには十分であろう。したがって、この変形形態によれば、ＵＷＢ通信システム内の通信状態の品質の関数として、そのシステムのスループットを簡単かつ柔軟に調整できるようになる。
【００２０】
そのハードウエアに関する態様の別の変形形態によれば、本発明は、Ｎｓ個の時間窓にわたってＮｓ個のパルスからなる少なくとも１つのパルス系列によって形成される信号を送信するように構成される装置にも関連し、各パルスは、その関連する時間窓内のその場所が１つのチップ番号によって定義される時間チップ内に収容され、その装置は、
少なくとも１つのパルス系列を生成するための少なくとも１つのパルス発生器と、
パルス発生器によって生成される少なくとも１つのパルス系列を、そのパルス系列によって搬送されることになる１つのシンボルを表す調整可能な符号化値と乗算するための少なくとも１つの信号乗算器とを備えるシンボル符号化手段を含む。
【００２１】
これまでに述べられた本発明の特徴、および他の特徴は、添付の図面に関連して与えられる以下に記載される説明を読むことからさらに明らかになるであろう。
【発明を実施するための最良の形態】
【００２２】
図１は、本発明が具現される通信システムＳＹＳＴを示す。このシステムＳＹＳＴは、少なくとも１つの送信機ＴＲＤと、少なくとも１つの受信機ＲＣＤとを含み、それらは両方ともたとえば移動電話のような装置によって構成されることができる。送信機ＴＲＤは、Ｎｓ個の時間窓ＴｆにわたってＮｓ個のパルスｐｊ（ただしｊ＝１〜Ｎｓ）からなる少なくとも１つの系列によって形成される信号Ｔｓｇを送信するように構成されており、各パルスは１つの時間チップＴｃ内に入れられ、その関連する時間窓内の時間チップの位置はチップ番号ｃｊ（ただしｊ＝１〜Ｎｓ）によって定義される。
この系列に含まれるパルスの数Ｎｓは、たとえば、１２８に等しい値に選択されることができ、一方、各時間窓Ｔｆの幅は１００ナノ秒に等しい値に選択されることができる。ただし、各時間チップＴｃ当たりの幅は１ナノ秒である。
【００２３】
本発明によれば、送信機ＴＲＤは、各パルス系列を、そのパルス系列によって搬送されることになる１つのシンボルを表す符号化値と乗算するように構成されるシンボル符号化手段ＥＮＣを含む。
【００２４】
それゆえ、送信される信号Ｔｓｇによって搬送される情報は基本的には、この信号Ｔｓｇによって搬送される電力によって表されることができ、その電力は、その信号Ｔｓｇ内に含まれるパルスの振幅に関連付けられる。その後、この情報は受信機ＲＣＤによって再生されることができるが、その受信機ＲＣＤは、受信されたパルス系列を、時間に関して正確に位置付ける必要はない。
【００２５】
図２は、そのような送信される信号Ｔｓｇをクロノグラムの形で示しており、そのクロノグラムによれば、各パルス系列は全持続時間Ｔｓを有し、その全持続時間Ｔｓは、持続時間Ｔｆをそれぞれ有する時間窓に分割され、各時間窓は時間チップＴｃに細分されており、各窓内の１つの時間チップは１つのパルスｐｊ（ただしｊ＝１〜Ｎｓ）を含むように構成されており、１つの時間チップはチップ番号ｃｊによって特定される。したがって、この送信される信号Ｔｓｇの送信機は、全ての上記のチップ番号ｃｊ（ただしｊ＝１〜Ｎｓ）を合わせることによって形成されるシグネチャＳｇ＝（ｃ１、ｃ２．．．ｃＮｓ）により特定されることになり、そのシグネチャＳｇそのものは変動の影響を受けにくく、それゆえ全ての潜在的な受信機に確実かつ正確に伝達されることができる。
【００２６】
本発明によれば、この図に示されるパルス系列に属する各パルスｐｊ（ただしｊ＝１〜Ｎｓ）は、この系列によって搬送される電力の形において、このパルス系列によって搬送されることになる１つのシンボルを表す同じ調整可能な符号化値Ｖｉによって乗算されている。ただし、参照記号「ｉ」は、ここで考えているパルス系列に割り当てられる参照番号を示す。
【００２７】
さらに、パルスｐｊ（ただしｊ＝１〜Ｎｓ）は、シンボル符号化ステップの過程において、＋１または−１に等しいランダムに選択された値αｊによって乗算され、結果として、ここに図示される例では、第２のパルスｐ２は負になる。
【００２８】
パルスによって搬送される情報がそのパルスの１つの二乗に関連付けられるので、その搬送される情報には影響を及ぼさない、正および負のパルスをそのようにランダムに分布させることにより、スペクトル領域内に高い振幅ピークが現れるのを防ぐことができるようになる。
【００２９】
ここに示されるパルス系列の全てのパルスｐｊ（ただしｊ＝１〜Ｎｓ）はさらに、シンボル符号化ステップの過程において、或る時間ジッタｄｔｉを受けてもよい。
【００３０】
時間遅延手段によって導入される時間ジッタは、変調された信号が送信されることになる通信チャネルによって引き起こされることになる遅延スプレッドに対して小さくしておかれるであろう。遅延スプレッドはたとえば、１００ナノ秒の値を有することができる。そのような時間ジッタは、各パルス系列によって搬送される情報に影響を及ぼすことはなく、主として本発明による変調方式に対してさらに自由度を与える。
【００３１】
したがって、送信される信号Ｔｓｇは以下の形で表されることができる。
【００３２】
【数１】
2005130504.tif 000003
【００３３】
ここには示されない本発明の別の実施形態では、送信される信号Ｔｓｇは所定の数のパルス系列の重ね合わせによって構成されることができ、各パルス系列はシンボル符号化ステップにかけられており、送信するために利用することができる全帯域幅が予め分割されてできた、いくつかの小帯域のうちの１つに対応する。
【００３４】
そのような実施形態では、ランクｋ（ただしｋ＝１〜Ｋであり、Ｋは小帯域の全数である）の所与の小帯域に対応する各パルス系列は、以下のように表されるであろう。
【００３５】
【数２】
2005130504.tif 000004
【００３６】
ただし、以下の式が成り立つ。
【００３７】
【数３】
2005130504.tif 000005
【００３８】
本発明のこの変形形態によれば、同じ通信チャネルを通していくつかのシンボルを同時に送信できるようになり、それゆえ、本発明のそのような変形形態が具現される通信システムのスループットを著しく高めることができるようになる。
【００３９】
図３は、上記のパルスを構成するために選択されることができる、実現可能な形状ｐ（ｔ）を示す別のクロノグラムである。同じ系列のパルスｐｊ（ｔ）（ただしｊ＝１〜Ｎｓ）が、全て概ね同じ幅を有し、同じエネルギー量を搬送するという条件であるなら、異なる形状を有することもできる。しかしながら、同じ系列に属する全てのパルスｐｊ（ｔ）（ただしｊ＝１〜Ｎｓ）は、ここに示される形状ｐ（ｔ）のような同じ形状を有することができ、その形状は、ガウス関数の二次の導関数として定義され、それは数学的にはｐ（ｔ）＝Ａ［１−４π（ｔ／Ｔｗ）２］ｅｘｐ（−２π（ｔ／Ｔｗ）２）として表されることができる。当然、当業者に知られている他のパルス形状をこれと同じ目的で用いることもできる。
【００４０】
図４は、上記のパルス系列のような一連のパルス系列によって形成されるデータフレームＤＦを示すさらに別のクロノグラムであり、各パルス系列は全持続時間Ｔｐを有し、所与の系列が後続の系列によって変更されるのを防ぐために、２つのそのような系列間にガード区間ＧＩが周期的に挿入される。そのような変更は、たとえば、その２つのパルス系列間の相互変調積によって引き起こされ得る。こうして、このデータフレームＤＦは、それぞれＴｒ＝Ｔｓ＋ＧＩの持続時間Ｔｒを有し、かつそれぞれ上記のようなパルス系列を含む連続したフレームによって構成される。
【００４１】
特定の応用形態では、任意の所与の送信機のシグネチャがその送信機内で動的に生成されることができ、それゆえ、パルス系列毎に変化ことができる。そのようなシグネチャは、たとえば、あらかじめプログラムされるシフト可能レジスタを固有に制御することにより生成されることができる。そのような応用形態では、任意の所与の受信機は、各パルス系列に対応する各シグネチャを再生できる必要があり、それは、その通信システムの制御インフラストラクチャによって受信機に予め送信された命令、たとえば媒体アクセス制御信号の形をとる命令に従って、あらかじめプログラムされ、制御されることになるシフト可能レジスタを受信機に設けることにより達成されることができる。
【００４２】
したがって、そのようなデータフレームＤＦを受信するように構成される装置は、受信されたパルス系列を時間に関して正確に位置付ける必要はないが、データフレームＤＦの情報コンテンツを識別するために、一連のパルス系列によって搬送される一連の電力量を表す量を測定することだけはできなければならない。
【００４３】
図５は、本発明の好ましい変形形態による送信機に収容されるシンボル符号化手段ＥＮＣを概略的に示す。これらのシンボル符号化手段ＥＮＣは概ね、以下のものを含む信号符号化手段を有する：
一連のパルス系列を生成するための単一パルス発生器ＰＬＳＧと、
１つのパルス系列の一連のパルスが混合器ＭＩＸによって乗算されることになる＋１または−１に等しい値をランダムに生成するためのランダムバイナリ発生器ＲＤＧと、
混合器ＭＩＸの出力信号をブーストするための増幅器Ａと、
その出力信号によって搬送されるエネルギーをＫ個の小帯域に拡散するためのエネルギースプリッタＥＮＳＰと、
Ｋ個のバンドパスフィルタＢＰＦｋ（ただしｋ＝１〜Ｋ）の並列なアレイであって、バンドパルフィルタＢＰＦｋはそれぞれ、混合器ＭＩＸの増幅された出力信号から特有のパルス系列Ｐｓｑｋを抽出するように構成され、したがって各特有のパルス系列Ｐｓｑｋは、送信するために利用することができる全帯域幅が分割されてできた、Ｋ個の小帯域のうちの１つに対応するもの。
【００４４】
本発明のこの変形形態によれば、シンボル符号化手段ＥＮＣは、特有のパルス系列Ｐｓｑｋをそれぞれ、そのパルス系列Ｐｓｑｋによって搬送されることになる１つのシンボルを表す調整可能な符号化値と乗算するためのＫ個の信号乗算器ＳＧＭｋ（ただしｋ＝１〜Ｋ）も備えており、その調整可能な符号化値は制御ワードＷＤｋによって表される。
【００４５】
信号乗算器ＳＧＭｋによって出力される、結果として符号化されたパルス系列Ｔｓｇｋ（ただしｋ＝１〜Ｋ）はその後、信号合成手段ＣＭＢＭ，たとえば電圧加算器によって、送信アンテナＡＮＴによって送信されることになる１つの信号Ｔｓｇに再合成されることになる。
【００４６】
本発明のこの特定の実施形態は、同じ通信チャネルを通して、Ｋ個の符号化された特有のパルス系列Ｔｓｇｋ（ただしｋ＝１〜Ｋ）によって、Ｋ個のシンボルを同時に送信できるようにする。この特定の実施形態は、信号符号器が、単一パルス発生器ＰＬＳＧを含むが、複数の符号化されたパルス系列Ｔｓｇｋを生成することができるという点でも注目に値する。
【００４７】
上記の実施形態の１つの変形形態では、符号化手段ＥＮＣは、この図に示され、先に説明された符号器のような複数の信号符号器を備えることができ、その信号符号器はそれぞれ、単一パルス発生器と、複数のバンドパスフィルタおよび信号乗算器とを含む。そのような変形形態は、マルチネットワーク送信機を構成するために特に有用であり、その際、そのような送信機に収容される各信号符号器がそのネットワークのうちの１つの専用の信号符号器になる。
【００４８】
上記の実施形態の１つの変形形態によれば、同じ信号符号器に収容される全ての信号乗算器ＳＧＭｋ（ただしｋ＝１〜Ｋ）は概ね互いに同一であり、少なくとも２つの異なる小帯域において情報の冗長性を生み出すために、少なくとも２つの信号乗算器が同じ制御ワードによって制御可能であることが好ましいであろう。
【００４９】
本発明の上記の実施形態のこの変形形態は、送信のために用いられることになる通信チャネルの特徴として信号対雑音比が低いことがわかっている場合に、送信の冗長性を容易に導入できるようにする。したがって、この変形形態によって、ＵＷＢ通信システム内の通信状態の品質の関数として、そのシステムのスループットを簡単かつ柔軟に調整できるようになる。
【００５０】
図６は、本発明の１つの実現可能な実施形態による信号乗算器ＳＧＭｋを概略的に示しており、その実施形態によれば、特有のパルス系列Ｐｓｑｋがそれぞれ、特有の信号Ｖｐｋ、たとえば電圧信号によって形成される。ここに示される信号乗算器ＳＧＭｋは、ギルバートセルに基づいて構成される混合器を含み、それは、３つの差動トランジスタ対によって２つのアナログ信号を混合し、そのような混合から生じる積信号Ｖｔｋを出力するために設計された簡単で、よく知られているアナログ回路である。本発明のこの実施形態では、制御ワードＷＤｋは調整可能な符号化値Ｖｋｉに等しく、１より大きくすることができ、その場合には、信号乗算器ＳＧＭｋは増幅器として機能するであろう。調整可能な符号化値Ｖｋｉは１より小さくすることもでき、その場合には、信号乗算器ＳＧＭｋは減衰器または分圧器として機能するであろう。
【００５１】
図７は、本発明の１つの有利な実施形態による信号乗算器ＳＧＭｋを示しており、特有のパルス系列Ｐｓｑｋ（ただしｋ＝１〜Ｋ）はそれぞれ電圧信号Ｖｐｋを含み、調整可能な符号化値Ｖｋｉは１未満であるか１に等しく、その際、信号乗算器は、その振幅が、入力された電圧信号Ｖｐｋの振幅に対して分圧されている出力電圧信号Ｖｔｋを供給するように構成される。
【００５２】
こうして、この信号乗算器ＳＧＭｋは基本的には、この特定の例では、同じ公称値を有することが好ましい４つの直列に配列される抵抗Ｒｋｍ（ただしｍ＝１〜４）によって形成される分圧ブリッジを含み、各抵抗Ｒｋｍは、制御ワードＷＤｋのうちの１つのビットＷＤｋ（ｍ）によって制御されるＮＭＯＳトランジスタによって形成されるセレクタＮＭｋ（ｍ）を介して、信号乗算器ＳＧＭｋの出力に接続される１つの端子を有する。
【００５３】
制御ＷＤｋのｍ番目のビットＷＤｋ（ｍ）が任意の所与の時点で１に等しい場合にのみ、この信号乗算器ＳＧＭｋによって出力される電圧ＶｔｋがＶｐｋ・ｍ／４に等しくなり、その場合、パルス系列Ｔｓｇｋはｍ／４に等しい符号化値Ｖｋｉと乗算され、その符号化値は制御ワードＷＤｋの値をプログラムすることにより容易に調整可能である。
【図面の簡単な説明】
【００５４】
【図１】本発明が用いられる通信システムを示すブロック図である。
【図２】そのような通信システムにおいて送信される搬送信号を構成するパルス系列を示すクロノグラムである。
【図３】そのような系列を生成するために用いることができるパルスモデルを示すクロノグラムである。
【図４】複数のパルス系列を含むデータフレームを示すクロノグラムである。
【図５】本発明の変形形態によるシンボル符号化手段を示すブロック図である。
【図６】そのようなシンボル符号化手段において用いられる信号乗算器の１つの実現可能な実施形態を示すブロック図である。
【図７】そのようなシンボル符号化手段において用いられる信号乗算器の１つの有利な実施形態を示す概略図である。
【符号の説明】
【００５５】
ｃｊ（ただしｊ＝１〜Ｎｓ）  チップ番号、ＣＭＢＭ  信号合成手段、
ｄｔｉ  時間ジッタ、ＥＮＣ  シンボル符号化手段、ＥＮＳＰ  エネルギースプリッタ、
ｐｊ（ただしｊ＝１〜Ｎｓ）  パルス、ｐ（ｔ）  パルス、
ＰＬＳＧ  単一パルス発生器、Ｐｓｑｋ  パルス系列、ＲＣＤ  受信機、
ＲＤＧ  ランダムバイナリ発生器、ＳＧＭｋ（ただしｋ＝１〜Ｋ）  信号乗算器、
ＳＹＳＴ  通信システム、Ｔｃ  時間チップ、ＴＲＤ  送信機、
Ｔｓｇ  信号（送信される信号）、Ｖｐｋ  電圧信号、Ｖｋｉ  調整可能な符号化値、
ＷＤｋ  制御ワード。
【図１】
2005130504.tif 000006
【図２】
2005130504.tif 000007
【図３】
2005130504.tif 000008
【図４】
2005130504.tif 000009
【図５】
2005130504.tif 000010
【図６】
2005130504.tif 000011
【図７】
2005130504.tif 000012